(57)【要約】【課題】  意匠部を常時照明するための専用の光源と、専用の光源から照射された光を意匠部に導く導光板を廃止することができる表示装置を提供する。【解決手段】  計器１を背面側から照明する第１の光源１０と、意匠部２０を背面側から照明する第２の光源２１と、第２の光源２１を囲む壁部２３、２４、２５からなるライトケース２２とを設け、第１の光源１０をライトケース２２の外側に配置し、ライトケース２２における第１の光源１０に対向する壁部２５に孔部２６を設け、第２の光源２１と孔部２６とを結ぶ光路上に第２の光源２１からの光を遮断する遮断部２５ｃを設ける。そして、意匠部２０を、第１の光源１０が点灯している際に孔部２６を通過する第１の光源１０からの光で照明するとともに、所定の場合に第２の光源２１からの光で照明する。【選択図】        図２ 
2006003261.tif 000002
【特許請求の範囲】
【請求項１】
計器（１）を背面側から照明する第１の光源（１０）と、
意匠部（２０）を背面側から照明する第２の光源（２１）と、
前記第２の光源（２１）を囲む壁部（２３、２４、２５）からなるライトケース（２２）とを備え、
前記第１の光源（１０）は前記ライトケース（２２）の外側に配置され、
前記ライトケース（２２）における前記第１の光源（１０）に対向する壁部（２５）には孔部（２６）が設けられ、
前記第２の光源（２１）と前記孔部（２６）とを結ぶ光路上には、前記第２の光源（２１）からの光を遮断する遮断部（２５ｃ）が設けられており、
前記意匠部（２０）は、前記第１の光源（１０）が点灯している際に前記孔部（２６）を通過する前記第１の光源（１０）からの光により照明されるとともに、所定の場合に前記第２の光源（２１）からの光により照明されることを特徴とする表示装置。
【請求項２】
前記第１の光源（１０）に対向する壁部（２５）において、前記孔部（２６）より前記第２の光源（２１）側の部位（２５ｂ）は、前記意匠部（２０）側の部位（２５ａ）より前記第２の光源（２１）に近い側に配置されており、
前記遮断部（２５ｃ）は、前記第１の光源（１０）に対向する壁部（２５）のうち、前記孔部（２６）より前記第２の光源（２１）側の部位（２５ｂ）における前記孔部（２６）の近傍から構成されていることを特徴とする請求項１に記載の表示装置。
【請求項３】
前記孔部（２６）は、前記第１の光源（１０）からの光が前記意匠部（２０）を直接照明しないように設けられていることを特徴とする請求項１または２に記載の表示装置。
【請求項４】
前記第１の光源（１０）と前記第１の光源（１０）に対向する壁部（２５）との間に設けられた遮光壁（２７）を備え、
前記遮光壁（２７）における前記第１の光源（１０）と前記孔部（２６）とを結ぶ光路と交わる部位に、第２の孔部（２８）が設けられていることを特徴とする請求項１ないし３のいずれか１つに記載の表示装置。
【請求項５】
前記意匠部（２０）および前記第２の光源（２１）は、互いに対応して複数設けられており、
前記第１の光源（１０）は、複数の前記意匠部（２０）のすべてを照明し、
前記所定の場合に、複数の前記第２の光源（２１）のうち特定の前記第２の光源（２１）が点灯するように構成されていることを特徴とする請求項１ないし４のいずれか１つに記載の表示装置。
【請求項６】
前記意匠部（２０）および前記第２の光源（２１）は、互いに対応して複数設けられており、
前記第１の光源（１０）に対向する前記ライトケース（２２）の壁部（２５）における隣り合う前記第２の光源（２１）の間に対応する部位から前記第１の光源（１０）に向けて仕切部材（２９）が設けられていることを特徴とする請求項１ないし５のいずれか１つに記載の表示装置。
【請求項７】
前記第１の光源（１０）と前記第２の光源（２１）は、互いに異なる色で発光することを特徴とする請求項１ないし６のいずれか１つに記載の表示装置。
【請求項８】
前記意匠部（２０）において、前記第２の光源（２１）による照明は、前記第１の光源（１０）による照明よりも明るくなっていることを特徴とする請求項１ないし７のいずれか１つに記載の表示装置。
【発明の詳細な説明】
【技術分野】
【０００１】
本発明は、表示装置に関し、特に、自動車等の車両に装備される表示装置に関する。
【背景技術】
【０００２】
車両に用いられる表示装置は、一般に、表示板とこの表示板の裏面側に配設された光源とを備えている。表示板は、スピードメータ等の計器部と、Ａ／Ｔ（オートマチック・トランスミッション）表示部などの意匠部を有している。そして、計器部や意匠部の目盛りや文字等を除く部分は、光が透過しない不透過部により構成され、目盛りや文字等の部分は、光が透過する透過部により構成される。これにより、光源で表示板を背面から照明することで、表示板の目盛り、文字等が明るく表示される。
【０００３】
ところで、Ａ／Ｔ表示部のような意匠部では、Ａ／Ｔ表示部全体用の照明と、シフトレバーの位置を示すための照明が必要となる。従来、Ａ／Ｔ表示部全体用の照明のために、専用光源と、専用光源からの光を意匠部に導くためのプリズムを用いた導光板とを設けた表示装置が知られている。また、隣接する計器を照明するための光源の光を、導光板を介してＡ／Ｔ表示部に導いてＡ／Ｔ表示部全体を照明する構成も知られている。
【発明の開示】
【発明が解決しようとする課題】
【０００４】
しかしながら、上記のような表示装置では、意匠部全体照明用の専用光源や導光板等の別部材が必要であるため、構成が複雑になるという問題が生じる。
【０００５】
本発明は、上記点に鑑み、意匠部を全体照明するための専用の光源と、専用の光源から照射された光を意匠部に導く導光板を廃止することを目的とする。
【課題を解決するための手段】
【０００６】
上記目的を達成するため、請求項１に記載の発明では、計器（１）を背面側から照明する第１の光源（１０）と、意匠部（２０）を背面側から照明する第２の光源（２１）と、第２の光源（２１）を囲む壁部（２３、２４、２５）からなるライトケース（２２）とを備え、第１の光源（１０）はライトケース（２２）の外側に配置され、ライトケース（２２）における第１の光源（１０）に対向する壁部（２５）には孔部（２６）が設けられ、第２の光源（２１）と孔部（２６）とを結ぶ光路上には、第２の光源（２１）からの光を遮断する遮断部（２５ｃ）が設けられており、意匠部（２０）は、第１の光源（１０）が点灯している際に孔部（２６）を通過する第１の光源（１０）からの光により照明されるとともに、所定の場合に第２の光源（２１）からの光により照明されることを特徴としている。なお、ここでいう「所定の場合」とは、例えば意匠部（２０）としてＡ／Ｔ表示部を適用した場合なら、意匠部（２０）に対応するギア位置にＡ／Ｔシフトレバーが位置している場合をいう。
【０００７】
このように、第１の光源（１０）に対向する壁部（２５）に孔部（２６）を設けることで、第１の光源（１０）からの光をライトケース（２２）内に導くことができるため、意匠部（２０）を常時照明するための専用の光源や、この光源から照射された光を意匠部（２０）に導く導光板を廃止することができる。さらに、遮断部（２５ｃ）を設けることで、第２の光源（２１）からの光がライトケース（２２）から漏れて計器（１）側に漏光することを防止できる。
【０００８】
また、請求項２に記載の発明のように、第１の光源（１０）に対向する壁部（２５）において、孔部（２６）より第２の光源（２１）側の部位（２５ｂ）は、意匠部（２０）側の部位（２５ａ）より第２の光源（２１）に近い側に配置されており、遮断部（２５ｃ）は、第１の光源（１０）に対向する壁部（２５）のうち、孔部（２６）より第２の光源（２１）側の部位（２５ｂ）における孔部（２６）の近傍から構成することができる。
【０００９】
また、請求項３に記載の発明では、孔部（２６）は、第１の光源（１０）からの光が意匠部（２０）を直接照明しないように設けられていることを特徴としている。
【００１０】
これにより、第１の光源（１０）からの光は、ライトケース（２２）内における第１の光源（１０）から遠い側の壁（２３）で反射して減衰してから意匠部（２０）を照明するため、意匠部（２０）に到達する第１の光源（１０）の光を弱くすることができる。また、孔部（２６）の大きさを小さくすることができるので、第２の光源（２１）からの光が孔部（２６）からライトケース（２２）の外に漏れにくくすることができる。
【００１１】
また、請求項４に記載の発明では、第１の光源（１０）と第１の光源（１０）に対向する壁部（２５）との間に設けられた遮光壁（２７）を備え、遮光壁（２７）における第１の光源（１０）と孔部（２６）とを結ぶ光路と交わる部位に、第２の孔部（２８）が設けられていることを特徴としている。
【００１２】
これにより、ライトケース（２２）から漏光した第２の光源（２１）からの光を遮光壁（２７）により遮断することができるため、第２の光源（２１）からの光が計器（１）側に漏光するのをより確実に防止できる。
【００１３】
また、請求項５に記載の発明のように、意匠部（２０）および第２の光源（２１）は、互いに対応して複数設けられており、第１の光源（１０）は、複数の意匠部（２０）のすべてを照明し、所定の場合に、複数の第２の光源（２１）のうち特定の第２の光源（２１）が点灯するように構成することができる。
【００１４】
また、請求項６に記載の発明では、意匠部（２０）および第２の光源（２１）は、互いに対応して複数設けられており、第１の光源（１０）に対向するライトケース（２２）の壁部（２５）における隣り合う第２の光源（２１）の間に対応する部位から第１の光源（１０）に向けて仕切部材（２９）が設けられていることを特徴としている。
【００１５】
これにより、ライトケース（２２）から漏光した第２の光源（２１）からの光を仕切部材（２９）により遮断することができるため、第２の光源（２１）からの光が隣り合う他の意匠部（２０）や計器（１）に漏光するのを防止できる。
【００１６】
また、請求項７に記載の発明のように、第１の光源（１０）と第２の光源（２１）は、互いに異なる色で発光することで、第２の光源（２１）により意匠部（２０）が照明されたときに、意匠部（２０）が第２の光源（２１）により照明されたか否かを、ユーザが識別しやすいようにすることができる。
【００１７】
また、請求項８に記載の発明のように、意匠部（２０）において、第２の光源（２１）による照明を、第１の光源（１０）による照明よりも明るくすることで、第２の光源（２１）により意匠部（２０）が照明されたときに、意匠部（２０）が第２の光源（２１）により照明されたか否かを、ユーザがより容易に識別しやすいようにすることができる。
【００１８】
なお、上記各手段の括弧内の符号は、後述する実施形態に記載の具体的手段との対応関係を示すものである。
【発明を実施するための最良の形態】
【００１９】
以下、本発明の実施形態について図１、図２に基づいて説明する。本実施形態の表示装置は、車両に装備される表示装置として用いられる。図１は本実施形態の表示装置を示す概略図で、図２は図１のＡ−Ａ断面図である。
【００２０】
図１および図２に示すように、本実施形態の表示装置は、図示しない計器ケース内に、計器としてのスピードメータ１と、このスピードメータ１を照明する第１の光源１０が設けられている。本実施形態における第１の光源１０は、イグニションスイッチがオンになっている間は常時点灯するように構成されている。そして、スピードメータ１に隣接して、Ａ／Ｔ表示部２が設けられている。
【００２１】
Ａ／Ｔ表示部２には、「Ｐ」、「Ｒ」、「Ｎ」等の図示しないＡ／Ｔシフトレバーのギア位置を示す複数の意匠部２０と、複数の意匠部２０それぞれを照明する第２の光源２１とが設けられている。これらの第２の光源２１は、各意匠部２０に対応して配置されている。また、複数の意匠部２０は、直線上に配置されている。
【００２２】
第２の光源２１は、所定の場合、すなわち、対応する意匠部２０が表示するギア位置にＡ／Ｔシフトレバーが位置する場合に点灯する。例えば、シフトレバーが「Ｎ」に位置しているときには、複数の第２の光源２１のうち「Ｎ」の意匠部２０に対応する特定の第２の光源２１が点灯する。
【００２３】
各第２の光源２１は、この第２の光源２１を囲む壁部２３、２４、２５からなるライトケース２２にそれぞれ収納されている。ライトケース２２は、第１の光源１０から遠い側の壁部２３と、隣り合う第２の光源２１の間に配置された壁部２４と、第１の光源１０に近い側の壁部２５とからなる。第１の光源１０は、ライトケース２２の外側に位置している。ライトケース２２における第１の光源１０に対向する壁部２５、すなわち、第１の光源１０に近い側の壁部２５には、貫通孔としての第１の孔部２６が形成されている。第１の孔部２６は、第１の光源１０からの光をライトケース２２内に導くためのものである。
【００２４】
第１の光源１０に近い側の壁部２５には、第１の孔部２６を境にして段差が形成されている。具体的には、ライトケース２２における第１の光源１０に対向する壁部２５において、第１の孔部２６より第２の光源２１側（図２における下側）の部位２５ｂは、意匠部２０側（図２における上側）の部位２５ａより第２の光源２１に近い側に配置されている。そして、第２の光源２１側の部位２５ｂの第１の孔部２６の近傍、すなわち、第２の光源２１側の部位２５ｂにおける第１の孔部２６側の端部が、第２の光源２１からの直射光を孔部２６を通過させないように遮断する遮断部２５ｃを構成している。
【００２５】
また、第１の孔部２６は、第１の光源１０からの光が意匠部２０を直接照明しないように設けられている。換言すれば、第１の孔部２６は、この第１の孔部２６と第１の光源１０とを結ぶ光路上に意匠部２０が配置されないように設けられている。第１の孔部２６を通過した第１の光源１０からの光は、ライトケース２２内で反射して意匠部２０を照明する。
【００２６】
第１の光源１０と、ライトケース２２の第１の光源１０に対向する壁部２５との間に遮光壁２７が設けられている。遮光壁２７は、第２の光源２１と計器１とを結ぶ直線と交わるように配置されている。そして、遮光壁２７における第１の光源１０と第１の孔部２６とを結ぶ光路と交わる部位には、貫通孔としての第２の孔部２８が形成されている。
【００２７】
ライトケース２２の第１の光源１０に対向する壁部２５から第１の光源１０に向けて仕切部材２９が設けられている。そして、この仕切部材２９は、隣り合う第２の光源２１の間に配置されている。
【００２８】
本実施形態では、第１の光源１０には、白色のＬＥＤが用いられている。複数の意匠部２０のうち「Ｒ」に対応する第２の光源２１にはアンバーのＬＥＤが、それ以外の意匠部２０に対応する第２の光源２１には緑色のＬＥＤが用いられている。
【００２９】
また、意匠部２０において、第２の光源２１の光の強度が、第１の光源１０の光の強度よりも強くなるように構成されている。
【００３０】
上記構成において、第１の光源１０が点灯することで、スピードメータ１が背面側から照明される。同時に、第１の光源１０から照射された光は第２の孔部２８を通過し、第１の孔部２６よりライトケース２２内に入射し、ライトケース２２内における第１の光源１０から遠い側の壁部２３で反射して複数の意匠部２０のすべてを照明する。これにより、Ａ／Ｔ表示部２を常時照明するための専用の光源や、この光源から照射された光をＡ／Ｔ表示部２の意匠部２０に導く導光板を廃止することが可能となる。
【００３１】
また、第１の孔部２６は、この第１の孔部２６と第１の光源１０とを結ぶ光路上に意匠部２０が配置されないように設けられているため、第１の光源１０からの光は、ライトケース２２内における第１の光源１０から遠い側の壁部２３で反射して減衰した後で、意匠部２０を照明する。これにより、意匠部２０における第１の光源１０からの照明を暗くすることが可能となる。さらに、第１の孔部２６の大きさを小さくすることができるので、第２の光源２１からの光が第１の孔部２６から漏れにくくすることができる。
【００３２】
また、第２の光源２１が点灯することで、複数の意匠部２０のうち点灯した第２の光源２１に対応する特定の意匠部２０が背面側から照明される。特定の意匠部２０では、第１の光源１０からの光に加え、第２の光源２１からの光で照明されることとなる。これにより、ユーザは、Ａ／Ｔシフトレバーがどの位置にあるのかを知ることができる。このとき、第２の光源２１からの直射光は、上述の遮断部２５ｃで遮断されるため、第１の孔部２６を通過できない。よって、スピードメータ１側には、第２の光源２１からの光のうち乱反射した弱い光が第１の孔部２６から漏光するのみとなる。
【００３３】
さらに、第１の孔部２６から乱反射により漏光した第２の光源２１からの光は、遮光壁２７により遮断される。これにより、第２の光源２１が点灯したときに、第２の光源２１からの光がスピードメータ１側に漏光するのを確実に防止することが可能となる。
【００３４】
第２の光源２１からの直射光は、ライトケース２２における隣り合う第２の光源２１の間の壁部２４で遮断され、隣接する他の意匠部２０側には漏光しない。また、第１の孔部２６から乱反射によりライトケース２２の外に漏光した第２の光源２１からの光は、仕切部材２９で遮断される。これにより、隣接する他のライトケース２２内には侵入できず、第２の光源２１が点灯したときに、第２の光源２１からの光が、隣接する他の意匠部２０側に漏光するのを防止することが可能となる。さらに、ライトケース２２の外に漏光した第２の光源２１からの光が、仕切部材２９で遮断されることにより、第２の光源２１からの光がスピードメータ１側に漏光するのを防止することが可能となる。
【００３５】
また、第１の光源１０の光と第２の光源２１の光を異なる色としているので、第２の光源２１が点灯した際、意匠部２０が第２の光源２１により照明されたか否かを、ユーザが容易に識別することが可能となる。さらに、意匠部２０において、第１の光源１０からの照明に比べて第２の光源２１からの照明の方が明るくなっているため、意匠部２０が第２の光源２１により照明されたか否かを、ユーザがより容易に識別することが可能となる。
【００３６】
（他の実施形態）
なお、上記実施形態では、ライトケース２２の第１の光源１０に対向する壁部２５に段差を設けて第２の光源２１からの光を遮断する遮断部２５ｃを形成したが、これに限らず、遮断部２５ｃは第２の光源２１と第１の孔部２６を結ぶ直線上で、第２の光源２１からの光を遮断できるものであればよい。
【００３７】
また、上記実施形態では、意匠部２０および第２の光源２１を複数設けた例を説明したが、本発明は意匠部２０および第２の光源２１がそれぞれ１つの構成においても適用可能である。また、第１の光源１０を複数にしてもよい。
【００３８】
また、上記実施形態では、計器としてスピードメータ１を適用しているが、スピードメータ１の代わりに、例えばタコメータなどの他の計器を適用してもよい。
【００３９】
また、上記実施形態では、意匠部としてＡ／Ｔ表示部２の意匠部２０を適用しているが、Ａ／Ｔ表示部２の代わりに、例えばウォーニングランプなどの他の表示部を適用してもよい。この場合には、第１の光源１０でウォーニングランプを常時照明し、車両に何らかの不具合が発生した際に第２の光源２１を点灯し、対応するウォーニングランプを照明するように構成すればよい。
【００４０】
また、上記実施形態では、イグニションスイッチがオンになっている間に第１の光源１０が常時点灯して意匠部２０を照明するようになっているが、車両のヘッドライトが点灯している場合に、ヘッドライトに連動して第１の光源１０が点灯して意匠部２０を照明するようにしてもよい。
【００４１】
また、上記実施形態では、第１の光源１０に白色のＬＥＤ、第２の光源２１にアンバーおよび緑色のＬＥＤが用いられているが、第１の光源１０と第２の光源２１が異なる色であればそれぞれ何色でもよい。
【図面の簡単な説明】
【００４２】
【図１】本発明の実施形態の表示装置を示す概略図である。
【図２】図１のＡ−Ａ断面図である。
【符号の説明】
【００４３】
１…スピードメータ（計器）、２…Ａ／Ｔ表示部、１０…第１の光源、２０…意匠部、２１…第２の光源、２２…ライトケース、２３、２４、２５…壁部、２６…第１の孔部、２７…遮光壁、２８…第２の孔部、２９…仕切部材。
【図１】
2006003261.tif 000003
【図２】
2006003261.tif 000004